(57)【要約】【課題】  共有空間構造体において、パネルの開口側を向く端部を固定するための空間構造体の位置決め装置を提供すること。【解決手段】  パネル体６を組み合わせ、一部に開口を有するように構成した自立型の空間構造体１であって、少なくとも空間構造体１の開口に臨むパネル体６の端部下面側には、床面上に敷設されたカーペットと係合可能なマジックテープ（Ｒ）４９を取り付けて空間構造体１の位置決め装置を構成する。【選択図】  図６
2005139801.tif 000002
【特許請求の範囲】
【請求項１】
パネル体を組み合わせ、一部に開口を有するように構成した自立型の空間構造体であって、少なくとも前記空間構造体の開口に臨むパネル体の端部下面側には、床面上に敷設されたカーペットと係合可能なマジックテープ（Ｒ）が取り付けられていることを特徴とする空間構造体の位置決め装置。
【請求項２】
共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポール間に、フレームの下方に設けたパネル体の下側を受ける下部受材を有する共有空間構造体であって、少なくとも該共有空間構造体の隣り合うポール間には前記下部受材の不敷設部分が設けられ、前記不敷設部分に臨む下部受材の端部下面側には、床面上に敷設されたカーペットと係合可能なマジックテープ（Ｒ）が取り付けられていることを特徴とする空間構造体の位置決め装置。
【請求項３】
前記ポールの下部には、その下端から上方に延びる溝部が形成され、該溝部に、ポール下端から嵌入可能な雌ネジ部材を設け、該雌ネジ部材に、前記下部受材の端部から上方に延設した垂直片を螺着した請求項２に記載の空間構造体の位置決め装置。
【請求項４】
前記下部受材の下面側に溝部を形成し、該溝部に略Ｌ字形の取付金具の水平片を嵌合して取り付け、かつ前記取付金具の垂直片を雌ネジ部材と螺着した請求項３に記載の空間構造体の位置決め装置。
【請求項５】
前記パネル体の端部もしくは下部受材の端部の下部には、上下調整可能な昇降部材が設けられ、この昇降部材の下面に下方を向くマジックテープ（Ｒ）が取り付けられている請求項１または２に記載の空間構造体の位置決め装置。
【発明の詳細な説明】
【技術分野】
【０００１】
本発明は、パネル体などを用いて構成される空間構造体や共有空間構造体の自由端面の不用意な動きを確実かつ容易に阻止することの出来る空間構造体の位置決め装置に関する。
【背景技術】
【０００２】
近年、オフィス等のオープン化を図り、コミュニケーションを活発化させるという目的から、床面にポールを安定的に立設させ、互いのポールの上端にフレームを係合させ、フレームをほぼ水平状態に支持させることにより、それ以外の外部空間と充分開放された関係で連接している構造体（以下、共有空間構造体と定義する。）を構成したものが知られている（例えば、特許文献１参照）。
【０００３】
【特許文献１】特開２００２−１３８６９３号公報（段落００１１、第１図）
【発明の開示】
【発明が解決しようとする課題】
【０００４】
従来、特許文献１のような共有空間構造体は外部と開放された関係で連接しているので、コラボレーションスペースとしては便利であるが、ビジネストークとして使用するような場合には、雑音のシャットアウトとか、商談に集中させるという意味で、時として外部空間と遮断した方が利便性が高い場合があり、共有空間構造体を外部空間と遮断するために、共有空間構造体のポールの間にパネル体を取り付けることがある。
【０００５】
しかしながら、特許文献１のような共有空間構造体にパネル体を取り付けたときに、パネル体の左右両端を固定する必要があり、ポールに隣接するパネル体の端部は、ポールに固定させればよいが、共有空間構造体の出入口などの開口側に隣接して配置されるパネル体の開口側を向く端部は、固定させるためのポールなどが無いため、外部からの衝撃などにより、パネル体の端部がぐらつくことがある。
【０００６】
本発明は、このような問題点に着目してなされたもので、共有空間構造体において、パネルの開口側を向く端部を固定するための空間構造体の位置決め装置を提供することを目的とする。
【課題を解決するための手段】
【０００７】
上記課題を解決するために、本発明の請求項１に記載の空間構造体の位置決め装置は、パネル体を組み合わせ、一部に開口を有するように構成した自立型の空間構造体であって、少なくとも前記空間構造体の開口に臨むパネル体の端部下面側には、床面上に敷設されたカーペットと係合可能なマジックテープ（Ｒ）が取り付けられていることを特徴としている。
この特徴によれば、パネル体の端部下面側に取り付けられたマジックテープ（Ｒ）が、床面上に敷設されたカーペットと係合するため、パネル体の端部が床面上に固定されるので、空間構造体の開口に臨むパネル体の端部がぐらつくことがなくなる。
【０００８】
本発明の請求項２に記載の空間構造体の位置決め装置は、共有空間構造体の外郭を画定する所定位置から立設したポールと、隣り合う前記ポールの上端にそれぞれ連結することで、ほぼ水平状態に支持されるフレームとの組み合わせから成る共有空間構造体における隣り合うポール間に、フレームの下方に設けたパネル体の下側を受ける下部受材を有する共有空間構造体であって、少なくとも該共有空間構造体の隣り合うポール間には前記下部受材の不敷設部分が設けられ、前記不敷設部分に臨む下部受材の端部下面側には、床面上に敷設されたカーペットと係合可能なマジックテープ（Ｒ）が取り付けられていることを特徴としている。
この特徴によれば、共有空間構造体の隣り合うポール間に下部受材の不敷設部分が設けられていることで、共有空間構造体に出入口を設ける際に、床面上に障害物を配置させないバリアフリーが可能となり、かつ不敷設部分に臨む下部受材の端部下面側に取り付けられたマジックテープ（Ｒ）が、床面上に敷設されたカーペットと係合するため、下部受材の端部が床面上に固定されるので、下部受材に支持されたパネル体がぐらつくことがなくなる。
【０００９】
本発明の請求項３に記載の空間構造体の位置決め装置は、請求項２に記載の空間構造体の位置決め装置であって、前記ポールの下部には、その下端から上方に延びる溝部が形成され、該溝部に、ポール下端から嵌入可能な雌ネジ部材を設け、該雌ネジ部材に、前記下部受材の端部から上方に延設した垂直片を螺着したことを特徴としている。
この特徴によれば、雌ネジ部材を下部受材の端部から上方に延設した垂直片に螺着させて、ポールに形成された溝部に嵌合させるだけで、空間構造体の組み立ての際に、容易に下部受材をポールに固定させることができるばかりか、空間構造体を分解するときには、容易に下部受材とポールを分離できるようになっている。
【００１０】
本発明の請求項４に記載の空間構造体の位置決め装置は、請求項３に記載の空間構造体の位置決め装置であって、前記下部受材の下面側に溝部を形成し、該溝部に略Ｌ字形の取付金具の水平片を嵌合して取り付け、かつ前記取付金具の垂直片を雌ネジ部材と螺着したことを特徴としている。
この特徴によれば、略Ｌ字形の取付金具の水平片が、下部受材の下面側に形成された溝部に嵌合されているので、取付金具が水平方向にぐらつくことなく下部受材に取り付けることができる。
【００１１】
本発明の請求項５に記載の空間構造体の位置決め装置は、請求項１または２に記載の空間構造体の位置決め装置であって、前記パネル体の端部もしくは下部受材の端部の下部には、上下調整可能な昇降部材が設けられ、この昇降部材の下面に下方を向くマジックテープ（Ｒ）が取り付けられていることを特徴としている。
この特徴によれば、上下調整可能な昇降部材が、パネル体の端部もしくは下部受材の端部の下部に設けられていることで、床面が多少変形或いは傾斜していても昇降部材を上下に調整するだけで、常にマジックテープ（Ｒ）を床面に接触させることができるようになる。
【発明を実施するための最良の形態】
【００１２】
本発明の実施例を以下に説明する。
【実施例１】
【００１３】
本発明の実施例を図面に基づいて説明すると、先ず図1は本発明の実施例１における共有空間構造体の全体斜視図、図２（ａ）は本発明の共有空間構造体を構成するパネル体の正面図、（ｂ）はパネル板と枠体から成るパネル体の分解正面図、図３はパネル体を構成するコーナ部における部分分解斜視図、図４は共有空間構造体の開口を開閉する移動扉とこの移動扉の開放時に並設される固定のパネル体の縦断面図、図５は共有空間構造体の開口が移動扉によって閉塞された状態を示す水平断面図、図６は共有空間構造体の開口が移動扉によって閉塞された状態であって一部断面を示す下方正面図である。
【００１４】
先ず図1には、本発明の実施例１としてのパネル体を組合せて構築される共有空間構造体１の全体斜視図が示されており、この共有空間構造体１は、下端にベース部材２を備えた４本のポール３ａ〜３ｄと、これらポール３ａ〜３ｄ間を上端で連結するフレーム４１とを組合せた構造体として構築されている。
【００１５】
フレーム４１はフレーム部材４とその下部に設けた上部受材１４とで構成され、この上部受材１４とポール３ａ〜３ｄの下部に定着した下部受材１８間には、パネル体６が取付けられており、ポール３ａ〜３ｄの基端に設けたベース部材２は、共有空間構造体の外郭を画定するジュータン（カーペット）が敷設された床面７の所定位置に設置され、その底部に設けられた数個のアジャスタ（図示せず）の位置調整により床面が多少変形或いは傾斜していてもベース部材２が常に水平状態を維持できるように構成されている。
【００１６】
ポール３ａ〜３ｄの上端はトップキャップ５が着脱自在に固定されている。このトップキャップはその底部中央に図示しない螺合雄ねじを有し、ポール３ａ〜３ｄの上部中央に形成されている雌ねじ部とネジ結合することにより、ポール３ａ〜３ｄの外周に形成されている溝条９が覆われるようになっている。
【００１７】
更に、ポール３ａ〜３ｄは、本実施例では図５に示すように、放射状に延びる断面略Ｕ字状の８つの溝条９が上下方向に延びており、各溝条９の外方を向く開口９ａの左右両側に、遊端が互いに向き合って離間する左右の係止片１０により溝条９の先端が一部覆われている。本実施例において溝条９は円柱状のポールに形成しているため、比較的多くの溝条９を形成でき、そのためにフレーム４１の取付け方向が選択できる。また、ポール形状は円柱状と限らず、例えば四角柱状のもので４つの溝を形成するようにしたものであってもよい。
【００１８】
このフレーム部材４は、図１に示すように上下に並設した上部フレーム４ａと下部フレーム４ａ’間を複数のリブ４ｂで接続してトラス構造に構成され、上下フレーム４ａ，４ａ’の両端には外側端面に取着部を形成した一対の止着部材（不図示）が設けられ、両止着部材はポール３の溝条９に装着された受け部材（不図示）を介して取り付けられている。
【００１９】
また、フレーム部材４の下面には、パネル体６の上端縁を取り付ける為の上部受材１４が取り付けられると共に、ポール３ａ〜３ｄ側面の溝条９には、図５に示すように、パネル体６の側端縁と当接する端部隠蔽部材１６が取り付けられている。
【００２０】
更に、図６に示すように、ポール３ｃ下端の溝条９には前記受け部材と同じ断面構造、同一機能を有する短尺の受け部材として構成された雌ネジ部材１３が挿入されており、この雌ネジ部材１３にはボルトＢを介して帯板材をＬ字形に折曲形成したブラケット１５が取り付けられている。
【００２１】
このブラケット１５には、パネル体６の下端部を支持するための下部受材１８の一端が、下部受材１８の下面側に形成された溝条１８’にブラケット１５の水平片が嵌合されることで取り付けられると共に、この下部受材１８の他端側はポール３ｃに対応するポール３ｄ下端に取り付けられたブラケット１５を介して取り付けられ床面７上に敷設されている。この下部受材１８は図１に示すように、移動扉Ｄがあるポール３ｂと３ｃ間を除いて、ポール３ａと３ｂ、ポール３ａと３ｄ、及びポール３ｃと３ｄの下端間にそれぞれその両端が取り付けられている。
【００２２】
そのため、雌ネジ部材１３をブラケット１５の垂直片に螺着させて、ポール３ｃ下端の溝条９に嵌合させるだけで、容易に下部受材１８をポールに固定させることができるばかりか、共有空間構造体を分解するときには、容易に下部受材１８とポール３ｃを分離できるようになっている。また、ブラケット１５の水平片が下部受材１８の下面側に形成された溝条１８’に嵌合されることで、ブラケット１５が水平方向にぐらつくことなく下部受材１８に取り付けることができるようになっている。尚、本実施例では、下部受材１８とブラケット１５が別体の構成であるが、これに限ることなく、下部受材の端部から上方に延びる垂直片を形成することで、下部受材１８とブラケット１５が同一部材として形成されるようにしてもよい。
【００２３】
次に、パネル体６は、図３および図４に示すように、厚板パネル体６と薄板パネル体の２種類用意され、厚板パネル体６は芯材２０ａとその両側に張り合わされた芯材より一回り大きな表面板２０ｂ，２０ｃとからなる３層構造の厚手のパネル板２０で構成され、薄板パネル体（実施例では移動扉Ｄに使用）は薄手のパネル板２０’ａ１枚で構成されており、厚手のパネル板２０及び薄手のパネル板２０’ａとは共通の枠体で外周面が保護できるようになっている。
【００２４】
すなわち、厚手のパネル板２０は、図３に示すように外周端縁に沿って所定深さの嵌合溝Ｍが全周に形成されており、この嵌合溝Ｍには４本の枠体とコーナ連結部材２５が取り付けられる。これら４本の枠体は、上下枠体２２ａ，２２ｂと左右の側枠体２４ａ，２４ｂ、及びこれら４本の枠体のコーナ部を連結するコーナ連結部材２５とから構成されている。
【００２５】
次に、４本の枠体とコーナ連結部材に付き図２、図３を参照して詳述する。これら４本の枠体の断面構造は、全て同一構造で構成されており、本実施例では上枠体２２ａを中心に説明する。
【００２６】
図２、図３に示すように上枠体２２ａは断面視で平板状の外周部３３と、この外周部３３の左右方向中央から内方に向けて突設し、かつその左右方向中央に内方が開口する溝部４０を有する内周部３６とを備えている。この内周部３６の幅は厚手のパネル板２０の嵌合溝Ｍと丁度嵌合できるよう表面板２０ｂ、２０ｃの内寸法と一致している。一方、内周部３６の溝部４０の幅は、薄手のパネル板２０’ａ（図４参照）が嵌合出来る寸法となっている。したがって、上枠体２２ａを含め全ての枠体は、厚手のパネル板２０及び薄手のパネル板２０’ａのいずれも組み付けることができる構造となっている。
【００２７】
更に、上枠体２２ａの内周部３６には貫通孔３８が形成され、図２（ｂ）に示すように、この貫通孔３８にはコーナ連結部材２５の連結片２５ａが挿嵌される。また、左右の側枠体２４ａ、２４ｂの外周部３３の左右方向中央には、外方に開口する凹溝Ｇが形成されており、凹溝Ｇの開口側両面には一対の係止溝３４が形成されており、この係止溝３４にはキャップ３７（図５参照）が係合されて凹溝Ｇ全体が閉塞されるようになっている。
【００２８】
このコーナ連結部材２５は、正面視矩形状のパネル板２０における４箇所のコーナ部にそれぞれ装着されるもので、パネル板２０外周の４辺に上下枠体２２ａ，２２ｂと左右側枠体２４ａ，２４ｂの端部同士を連結して装着することでパネル板２０の外周縁を保護するための枠体構造が構築されるようになっている。
【００２９】
コーナ連結部材２５の交差する両端には連結片２５ａ，２５ｂが形成され、これらの連結片２５ａ，２５ｂは、上枠体２２ａと左枠体２４ａの両端に形成される角孔３８に嵌入可能に形成されており、嵌入された連結片２５ａ，２５ｂは、各枠体端部の凹溝Ｇ底面に形成された図示しない２つの挿通小孔より挿通したネジ３２を両連結片２５ａ，２５ｂのネジ孔Ｔ（図３参照）に螺着することで、上枠体２２ａと左枠体２４ａがコーナ連結部材２５を介して連結される。
【００３０】
このように構成されたパネル体６の上枠体２２ａの左右には、図２の（ａ）に示される一対のＬ字形ブラケット２６が固定される。すなわち、このＬ字形ブラケット２６は、このブラケット２６に形成された一対の挿通孔を介して挿通した２本のボルトＢを、凹溝Ｇの底面に形成された一対のネジ孔に螺着することで上枠体２２ａに固定される。
【００３１】
図４に示すように、パネル体６を取り付けるに際しては、上部受材１４下面の開口内壁に上枠体２２ａのブラケット２６の上部折曲片を当接させた状態で、上部受材１４下方側面の挿通孔より挿通したネジをブラケット２６の上部折曲片に形成されたネジ孔２６ａに螺着する。
【００３２】
次に、パネル体６下端の下枠体２２ｂ両端に配設された一対の昇降部材としてのジャッキボルト２８を、その直下の床面７上に敷設された下部受材１８上面に当接し、この状態でジャッキボルト２８を調節することでパネル体６が上部受材１４の下面と下部受材１８上面との間で押圧保持される。
【００３３】
次に移動扉Ｄに付き図４、図５を参照して詳述する。
【００３４】
図４において、パネル体６の上部を支持する上部受材１４は、その断面視両側面に開口が形成されており開口の上下端部には突出片が形成され、本実施例では外側下端の突出片を移動扉Ｄのガイドレール１４ａとして使用している。
【００３５】
パネル体６開口側端部における下枠体２２ｂの凹溝Ｇ内にはガイド部材４２の一端が取り付けられている。このガイド部材４２は、この凹溝Ｇ内に嵌合可能な嵌合片４２ａが上方に突設すると共に他端側にも移動扉Ｄの下端をガイドすべく上方に突出するガイド片４２ｂが形成されている。
【００３６】
一方、移動扉Ｄは、図４に示すように薄手の薄手のパネル板２０’ａが使用されており、このパネル板２０’ａの外周は、前述した枠体と同じように上下枠体２２ａ，２２ｂないし左右枠体２４ａ，２４ｂ及びこれら枠体の端部を連結するコーナ連結部材２５の溝部４０に装着されている。移動扉Ｄ両側面に装着された左右枠体２４ａ，２４ｂの凹溝Ｇ内に形成された一対の係止溝３４には、外方に突出する凸条が設けられた軟質の合成樹脂から成るキャップ３７が装着されている。
【００３７】
移動扉Ｄの上端に装着された上枠体２２ａ上面の左右には、カバー体４６の内面側に配置されたＬ字形に折曲したブラケット４４が２本のボルトＢを介して固定され、これらのブラケット４４に片持ち支持された支持軸Ｊの端部に滑車４５が回転自在に軸支されている。
【００３８】
移動扉Ｄは、上端が２つの滑車４５がガイドレール１４ａによって吊下げ支持されると共に、その下端はガイド部材４２のガイド片４２ｂが下枠体２２ｂの凹溝Ｇに摺動可能に挿嵌して横方向の振れを防止し、且つ移動扉Ｄの開放時には片側のコーナ連結部材２５に当接して開放端を規制している。
【００３９】
空間構造体の開口を形成するポール３ｂ、３ｃの上部にはフレームが架橋され、このフレームと同方向に配置した固定のパネル体６は、図５に示すように、フレームと同方向に延びる溝条９−１に端部隠蔽部材１６を介して当接し、下端は同じ溝条９−１に係止したブラケット１５を介して取り付けられた下部受材１８上にジャッキボルト２８を介して支持されており、パネル体６と引き違いに構成されている移動扉Ｄの戸当り部材を他方のポール３ｂのフレームと同方向に延びる溝条９−１には取り付けられないので、溝条９−１と平行でない別方向の溝条９−２に、上下方向を向く戸当たり部材４８を取り付けている。
【００４０】
すなわち、移動扉Ｄが閉じた状態では、図５に示すように移動扉Ｄの片側面に装着した凸条を構成するキャップ３７が戸当たり部材４８の凹条４８ａに嵌合した状態となる。そして移動扉Ｄの側枠体２４ａが戸当たり部材４８の凹条４８ａに当接する際、凹条４８ａを構成する内側の突部４８ａ−１の方が、外側の突部４８ａ−２よりの先に当接できるように構成しておくと、戸当たり部材４８が内方に向かって若干回動するため、密閉度合いが高まる。尚、戸当たり部材４８の凹条４８ａを凸条に、移動扉Ｄ片側面の凸条を凹条に形成しても同一効果が得られることは勿論である。
【００４１】
移動扉Ｄが開放した状態では、開口する床面７上には下部受材１８等の障害物が何も存在しない下部受け材の不敷設部分が設けられることになり、所謂バリアフリーを形成することができる。
【００４２】
従って、共有空間構造体の外郭を画定する所定位置から立設した４本のポール３ａ〜３ｄと、これら隣り合うポール３ａ，３ｂ及び３ａ，３ｄないし３ｄ，３ｃそして３ｂ，３ｃの上端にそれぞれ連結したフレーム部材４との組み合わせにより共有空間構造体が構成され、この共有空間構造体の隣り合うポールとフレーム部材とに囲まれた面が、一方のポール側に開口Ｒを残してパネル体６により閉塞され、この開口Ｒをガイドレール１４ａに沿って移動する移動扉Ｄにより開閉可能に構成されるので、共有空間構造体が多種の用途に利用できる。
【００４３】
また、各ポール３ａ〜３ｄには上下方向の複数の溝条が設けられ、これらの溝条の一つに、移動扉Ｄの側部端縁が当接可能な上下方向を向く戸当たり部材４８が嵌合されるので、その取付が容易にできる。
【００４４】
更に、戸当たり部材４８は、フレーム部材４と平行な溝条９−１とは平行でない別方向の溝条９―２に嵌合されて取り付けられているので、フレーム部材４と同じ向きに取付けられている固定パネル体６と位相がずれている移動扉Ｄの戸当り部材４８を、放射状に複数形成された溝条より選択して取り付けることができる。
【００４５】
そして、移動扉Ｄの側部端縁には上下方向に延びる凸条３７が突設され、戸当たり部材４８には凸条３７と嵌合可能な上下方向に延びる凹条４８ａが設けられているので、移動扉Ｄの閉鎖時には移動扉Ｄの凸条３７と戸当り部材４８の凹条４８ａとの嵌合により密閉状態が確実に維持される。
【００４６】
次に、共有空間構造体の開口Ｒを開閉する移動扉Ｄとこの移動扉Ｄの開放時に並設されるパネル体６との関係に付き図４〜図６を参照して説明する。
【００４７】
共有空間構造体の外郭を画定する所定位置に立設した４本のポール３ａ〜３ｄ間を連結するフレーム４１の下端面、並びにポール３ａ，３ｂと３ｃ，３ｄないし３ａ，３ｄ及び３ｃ，３ｄ間には、それぞれ外部と遮断するパネル体６が取り付けられると共にポール３ｂ，３ｃ間の片側には開口Ｒが形成される。
【００４８】
ポール３ｂ，３ｃ間の開口Ｒ側に配置されるパネル体６は、他のパネル体６と同様の取付け方法により片側がポール３ｃの側面に固定されており、パネル体６直下の床面７の上面にはポール３ｃ下端のブラケット１５に一端が取り付けられた下部受材１８がパネル体６の長さに合わせて開口Ｒ内には延出しないように敷設されている。
【００４９】
この下部受材１８の他端側は、パネル体６の入口側端部まで延設しており、この下部受材１８の他端側の下面には、マジックテープ（Ｒ）４９が取り付けられている。このマジックテープ（Ｒ）４９の取付位置は下部受材１８の床面側に凹溝を形成し、その溝底に貼着するようにしても良い。上部受材１４の下面にブラケット２６を介して支持されたパネル体６の下面を下部受材１８との間でジャッキボルト２８により押圧すると、その押圧力によって、マジックテープ（Ｒ）４９が、床面７に敷設されたジュータンと係合されるので、空間構造体の開口に臨む下部受材１８の他端側は、ぐらつくことなく保持されるようになっている。
【実施例２】
【００５０】
次に本発明の実施例２における下部受材５０と昇降部材としてのジャッキボルト５１に付き図７を参照して詳述する。なお、上記実施例１と同一構成で重複する構成を省略する。図７は、本発明の実施例２における下部受材５０とジャッキボルト５１の斜視図である。
【００５１】
図７に示すように、下部受材５０の他端側は、パネル体５２の入口側端部まで延設しており、下部受材５０のパネル体５２の入口側端部側に設けられているジャッキボルト５１の下方には、ブロック体５３が配置されている。このブロック体５３は略矩形状をしていて、その端部下面側には、床面７上に敷設されたジュータンと係合可能なマジックテープ（Ｒ）５４が取り付けられている。
【００５２】
このブロック体５３をジャッキボルト５１に取り付ける際には、ジャッキボルト５１がパネル体５２に取り付けられる前において、ジャッキボルト５１が蓋部材５５の中央に形成された孔部５６に挿通され、ブロック体５３に形成した有底の穴内に回動自在に載置され、この蓋部材５５をネジ５７によりブロック体５３に固定する。ジャッキボルト５１の下端は、蓋部材５５に形成された孔部５６より大きく形成されているため、ジャッキボルト５１は、孔部５６から抜けることなく取り付けられる。また、ジャッキボルト５１は、ブロック体５３及び蓋部材５５に固着されていないので、ブロック体５３は水平方向に回動することができるようになっている。
【００５３】
更に、図７に示すように、下部受材５０のブロック体５３に対応する位置には、ブロック体５３が挿通可能な挿通孔５８が形成されており、パネル体５２を立設した際には、ブロック体５３に設けられたマジックテープ（Ｒ）５４が、床面７に敷設されたジュータンに接触できるようになっている。
【００５４】
ジャッキボルト５１がブロック体５３に対して、水平方向に回動自在になっていることによって、パネル体５２を立設した際に、ジャッキボルト５１を回動させることで、ジャッキボルト５１によりブロック体５３を下方に押圧することができ、そのため、その押圧力によりマジックテープ（Ｒ）５４が床面７に敷設されたジュータンとより強く係合されるようになる。したがって、下部受材５０はブロック体５３によりその移動が拘束される。
【実施例３】
【００５５】
次に本発明の実施例３におけるブロック体６０と昇降部材としてのジャッキボルト６１に付き図８を参照して詳述する。図８は、本発明の実施例３におけるブロック体６０とジャッキボルト６１の側面図である。
【００５６】
図８に示すように、例えば、ポールがないパーティション等によって構築されるような空間構造体の脚体６２の下面には、ジャッキボルト６１を介して略矩形状のブロック体６０が取り付けられている。このブロック体６０の下面には、床面７上に敷設されたジュータンと係合可能なマジックテープ（Ｒ）６３が取り付けられている。
【００５７】
このブロック体６０の上部には、ジャッキボルト６１が、ネジ６６によってブロック体６０に固着された蓋部材６４の中央に形成された孔部６５に挿設されており、ジャッキボルト６１の上端は脚体６２に固着されている。ジャッキボルト６１は、前述した実施例２と同様に、ブロック体６０及び蓋部材６４に固着されていないので、ブロック体６０は水平方向に回動することができるようになっている。
【００５８】
更に、図８に示すように、ジャッキボルト６１がブロック体６０に対して、水平方向に回動自在になっていることによって、パネル体６２を立設した際に、ジャッキボルト６１を回動させることで、ジャッキボルト６１によりブロック体６０を下方に押圧することができるため、その押圧力によりマジックテープ（Ｒ）６３が床面７に敷設されたジュータンとより強く係合されるようになる。
【００５９】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００６０】
【図１】本発明の実施例１における共有空間構造体の全体斜視図である。
【図２】（ａ）は本発明の共有空間構造体を構成するパネル体の正面図、（ｂ）はパネル板と枠体から成るパネル体の分解正面図である。
【図３】パネル体を構成するコーナ部における部分分解斜視図である。
【図４】共有空間構造体の開口を開閉する移動扉とこの移動扉の開放時に並設される固定のパネル体の縦断面図である。
【図５】共有空間構造体の開口が移動扉によって閉塞された状態を示す水平断面図である。
【図６】共有空間構造体の開口が移動扉によって閉塞された状態であって一部断面を示す下方正面図である。
【図７】本発明の実施例２における下部受材とジャッキボルトの斜視図である。
【図８】本発明の実施例３におけるブロック体とジャッキボルトの側面図である。
【符号の説明】
【００６１】
１                      共有空間構造体
２                      ベース部材
３ａ〜３ｄ              ポール
４                      フレーム部材
４ａ                    上部フレーム
４ａ’                  下部フレーム
４ｂ                    リブ
５                      トップキャップ
６                      パネル体
７                      床面
９，９−１，９−２      溝条
９ａ                    開口
１０                    係止片
１３                    雌ネジ部材
１４                    上部受材
１４ａ                  ガイドレール
１５                    ブラケット（取付金具）
１６                    端部隠蔽部材
１８                    下部受材
２０                    厚手のパネル板
２０ａ                  芯材
２０ｂ，２０ｃ          表面板
２０’ａ                薄手のパネル板
２２ａ                  上枠体
２２ｂ                  下枠体
２４ａ                  左側枠体
２４ｂ                  右側枠体
２５                    コーナ連結部材
２５ａ，２５ｂ          連結片
２６                    ブラケット
２６ａ                  ネジ孔
２８                    ジャッキボルト（昇降部材）
３２                    ネジ
３４                    係止溝
３６                    嵌入部
３７                    キャップ（凸条）
３８                    貫通孔
４０                    溝部
４１                    フレーム
４２                    ガイド部材
４２ａ                  嵌合片
４２ｂ                  ガイド片
４４                    ブラケット
４５                    滑車
４６                    カバー体
４８                    戸当たり部材
４８ａ                  凹条
４８ａ−１，４８ａ−１  凹条の突部
４８ｂ，４８ｂ          嵌合溝
４９                    マジックテープ（Ｒ）
５０                    下部受材
５１                    ジャッキボルト（昇降部材）
５２                    パネル体
５３                    ブロック体
５４                    マジックテープ（Ｒ）
５５                    蓋部材
５６                    孔部
５７                    ネジ
５８                    挿通孔
６０                    ブロック体
６１                    ジャッキボルト（昇降部材）
６２                    脚体
６３                    マジックテープ（Ｒ）
６４                    蓋部材
６５                    孔部
６６                    ネジ
Ｂ                      ボルト
Ｄ                      移動扉
Ｇ                      凹溝
Ｊ                      支持軸
Ｍ                      嵌合溝
Ｒ                      開口
Ｔ                      ネジ孔
【図１】
2005139801.tif 000003
【図２】
2005139801.tif 000004
【図３】
2005139801.tif 000005
【図４】
2005139801.tif 000006
【図５】
2005139801.tif 000007
【図６】
2005139801.tif 000008
【図７】
2005139801.tif 000009
【図８】
2005139801.tif 000010